(57)【要約】【課題】放射線測定装置（ダストモニタ）の運搬作業性を向上する。【解決手段】本体１２内にはポンプ及びサンプリングヘッド等が収容されている。本体１２の背面側にキャリア１４が着脱自在に取付けられる。運搬時においては、伸縮機構３４が伸長状態とされた上で本体１２が後ろ側に斜めに倒され、その姿勢を保ったままハンドル３２を握って本体１２が運搬される。その際に、本体１２の荷重がキャスタ機構４６に加えられるので、運搬時において作業者に大きな負担は生じない。測定時においては必要に応じてキャリア１４が本体１２から取り外される。【選択図】図２
2016138871.tif 000002
【特許請求の範囲】
【請求項１】
前面に開閉構造が設けられたハウジングと、前記ハウジングに内蔵された放射線検出部と、を有する装置本体と、
ハンドル及び複数のキャスタを有し、前記ハウジングの背面に着脱可能に設けられるキャリアと、
を含み、
前記装置本体に前記キャリアが装着されている状態で前記装置本体を後側へ倒してそれを傾斜姿勢とした場合、前記装置本体が前記複数のキャスタによって支えられる、
ことを特徴とする放射線測定装置。
【請求項２】
請求項１記載の装置において、
前記ハウジングの背面側下部には一方の下側係合構造が設けられ、
前記ハウジングの背面側上部には一方の上側係合構造が設けられ、
前記キャリアには前記一方の下側係合構造に係合する他方の下側係合構造が設けられ、
前記キャリアには前記一方の上側係合構造に係合する他方の上側係合構造が設けられた、
ことを特徴とする放射線測定装置。
【請求項３】
請求項１記載の装置において、
前記ハウジング内にはエア吸引力を生じさせるポンプが設けられ、
前記放射線検出部は前記ポンプによって吸引されたエアに含まれる放射性物質を捕集する捕集部材を含む、
ことを特徴とする放射線測定装置。
【請求項４】
請求項３記載の装置において、
前記ハウジングの内部空間は、
前記放射線検出部を収容する部分空間であって、左右方向一方側にある一方側部分空間と、
前記ポンプを収容する部分空間であって、左右方向他方側にある他方側部分空間と、
を含み、
前記開閉機構は、
前記一方側部分空間を開閉する一方側扉と、
前記他方側部分空間を開閉する他方側扉と、
を含む、
ことを特徴とする放射線測定装置。
【請求項５】
請求項４記載の装置において、
前記一方側扉の内側には未使用捕集部材を保持するポケットが設けられた、
ことを特徴とする放射線測定装置。
【請求項６】
請求項４記載の装置において、
前記開閉機構は、
前記ハウジングの内部空間の上面側を開閉するカバーを含み、
前記カバーはその閉状態で前方斜め上を向く斜面を有し、
前記斜面に表示器が設けられた、
ことを特徴とする放射線測定装置。
【発明の詳細な説明】
【技術分野】
【０００１】
本発明は放射線測定装置に関し、特に空気中の放射性物質を測定するダストモニタに関する。
【背景技術】
【０００２】
放射線測定装置として、ダストモニタ、エリアモニタ、サーベイメータ、個人線量計、モニタリングポスト等が知られている。以下においてはダストモニタについて説明する。ダストモニタは、サンプリングされた空気中に含まれる放射性物質の濃度等を測定するものである。かかる装置では、一般に、放射線物質が濾紙やフィルタなどの捕集部材によって捕集され、捕集された放射性物質から放出された放射線が放射線検出器によって検出される（特許文献１参照）。測定対象となる放射線は、α線、β線、γ線等である。ダストモニタの一部あるいはそれ自身がダストサンプラと称されることもある。
【０００３】
ダストモニタは、空気を吸引するためのポンプ、放射線検出器や捕集部材を有する放射線検出部、それらを収容するハウジング、等を有し、その重量は例えば数十〜数百Ｋｇにもなる。設置作業の容易性、機動性（設置場所の変更容易性）、設置後の省スペースの観点からは、比較的軽量の（例えば２０〜５０Ｋｇ程度の本体重量を有する）ダストモニタの実現が望まれる。しかし、そのようなダストモニタを一人で運搬するのは一般に容易ではない。ダストモニタの下面に４つのキャスタを組み付けることも考えられるが、設置後の移動がほとんど想定されない場合にもそれらのキャスタを最初から設けておくのは合理的とは言えない。また、複数のキャスタによって自然に装置が動いてしまうことを防止するために別途の機構を設ける必要がある。
【０００４】
なお、ダストモニタにおいては捕集部材の交換が必要となる。その作業は一般に測定者又はユーザーによって行われる。また、ポンプの点検や交換等のメンテナンス作業が行われる。その作業は一般に保守点検作業者又はメーカーによって行われる。それらの作業性を向上することが望まれる。また、作業と無関係な部分を無用に露出させないために、作業の種別に応じて内部空間を開放できる構成の実現が望まれる。以上指摘した各問題はダストモニタ以外の放射線測定装置においても指摘され得る。
【先行技術文献】
【特許文献】
【０００５】
【特許文献１】特開２００７−２４８２６６号公報
【発明の概要】
【発明が解決しようとする課題】
【０００６】
本発明の目的は、運搬時に良好な機動性が得られ、設置後に必要に応じて小型化が可能な放射線測定装置を提供することにある。あるいは、運搬時において不用意に前面側扉が開いてしまうことを防止できるようにすることにある。あるいは、設置時や運搬時の作業性を高めることにある。
【課題を解決するための手段】
【０００７】
本発明に係る放射線測定装置は、前面に開閉構造が設けられたハウジングと、前記ハウジングに内蔵された放射線検出部と、を有する装置本体と、ハンドル及び複数のキャスタを有し、前記ハウジングの背面に着脱可能に設けられるキャリアと、を含み、前記装置本体に前記キャリアが装着されている状態で前記装置本体を後側へ倒してそれを傾斜姿勢とした場合、前記装置本体が前記複数のキャスタによって支えられる、ことを特徴とするものである。
【０００８】
放射線測定装置は一般に重い設備であるので、その設置時や運搬時における機動性、作業性が問題となる。上記構成によれば、装置本体に対してキャリアが取り付けられるので、そのキャリアを利用して装置本体の運搬を行える。その場合、装置本体が傾斜姿勢とされ、複数のキャスタによって装置本体が支えられる。ハンドルを保持してそれを引く（あるいは押す）ことにより装置本体が重くてもそれを容易に運搬することが可能である。しかも、キャリアが着脱可能に設けられているので、装置本体の設置後において、必要に応じてキャリアを取り外せば、設置後の物量を少なくでき、また使用時においてキャリアが邪魔になることもない。更に、キャリアが背面側に設けられ、斜め後側に傾斜した姿勢で運搬されるので、運搬時において前面側の開閉構造が不用意に開き動作してしまうことも防止できる。よって、上記構成によれば、実用性の高い放射線測定装置を実現できる。
【０００９】
望ましくは、前記ハウジングの背面側下部には一方の下側係合構造が設けられ、前記ハウジングの背面側上部には一方の上側係合構造が設けられ、前記キャリアには前記一方の下側係合構造に係合する他方の下側係合構造が設けられ、前記キャリアには前記一方の上側係合構造に係合する他方の上側係合構造が設けられる。それらの構造によって装置本体に対してキャリアが着脱可能に取り付けられる。
【００１０】
望ましくは、前記ハウジング内にはエア吸引力を生じさせるポンプが設けられ、前記放射線検出部は前記ポンプによって吸引されたエアに含まれる放射性物質を捕集する捕集部材を含む。すなわち、上記放射線測定装置は望ましくはダストモニタである。遮蔽部材に加えて比較的に重いポンプを搭載している場合に上記構成を採用する意義が大きい。
【００１１】
望ましくは、前記ハウジングの内部空間は、前記放射線検出部を収容する部分空間であって、左右方向一方側にある一方側部分空間と、前記ポンプを収容する部分空間であって、左右方向他方側にある他方側部分空間と、を含み、前記開閉機構は、前記一方側部分空間を開閉する一方側扉と、前記他方側部分空間を開閉する他方側扉と、を含む。この構成によれば、通常の捕集部材交換時においては一方側扉のみを開ければよく、その際に他方側扉までを開ける必要がなくなるので、良好な作業性を得られる。望ましくは、前記一方側扉の内側には未使用捕集部材を保持するポケットが設けられる。この構成によれば捕集部材の交換を速やかに行える。装置本体自体に捕集部材をストックさせることにより、捕集部材の散逸等の問題を未然に回避できる。また上記構成によればハウジング内の空きスペースを有効活用できる。もっとも、ポンプの交換やメンテナンスを行う場合には他方側扉が開かれる。
【００１２】
望ましくは、前記開閉機構は、前記ハウジングの内部空間の上面側を開閉するカバーを含み、前記カバーはその閉状態で前方斜め上を向く斜面を有し、前記斜面に表示器が設けられる。表示器が傾斜姿勢で配置されるので、その視認性を自然に高められる。
【発明の効果】
【００１３】
本発明によれば、運搬時に良好な機動性が得られる。設置後に必要に応じて装置構成を小型化することが可能である。あるいは、運搬時において不用意に前面側扉が開いてしまうことを防止できる。
【図面の簡単な説明】
【００１４】
【図１】本発明に係るダストモニタの第１斜視図である。
【図２】本発明に係るダストモニタの第２斜視図である。
【図３】設置状態を示す図である。
【図４】右扉の内側を示す図である。
【図５】ダストモニタの運搬時の様子を示す図である。
【発明を実施するための形態】
【００１５】
以下、本発明の好適な実施形態を図面に基づいて説明する。
【００１６】
図１には本発明に係る放射線測定装置が示されている。本実施形態において、放射線測定装置はダストモニタ１０である。このダストモニタ１０は、例えば原子力発電所等の放射物質取扱施設内に設置され、あるいは、一般の施設内に設置されるものである。ダストモニタ１０は、空気中における放射性物質を捕集し、その捕集された放射性物質から出る放射線（例えばγ線）等を検出するものである。これにより、放射性物質の濃度等が算出される。
【００１７】
本実施形態におけるダストモニタ１０は、可搬型の装置として構成されており、ダストモニタ１０は大別して本体１２とキャリア１４とにより構成される。運搬時においてキャリア１４が使用される。設置後において、すなわち測定状態において、キャリア１４が取り外されてもよいし、あるいはキャリア１４が取り付けられた状態にあってもよい。キャリア１４を取り外せば、ダストモニタ１０の設置空間を小さくできるという利点が得られる。
【００１８】
本体１２について説明する。本体１２は筐体としてのハウジング１３を有している。ハウジング１３の内部は各種の機器が設置されるスペースである。ハウジング１３の前面側には右扉１６及び左扉１８が設けられている。それらは観音開き方式で開閉運動する。左扉１８は右扉１６を開いた場合にのみ開閉することが可能である。そのための機構が両扉間に設けられている。ハウジング１３の上部には内部空間を覆うカバー２０が設けられている。そのカバー２０は奥側において回転軸を有し、その回転軸回りにおいて開閉運動をするものである。カバー２０は水平部分２０Ａと前側に連なる傾斜部分２０Ｂとを有する。傾斜部分２０Ｂの中央に表示器２２が設けられている。この表示器２２はカラー表示器であり、またタッチセンサの機能を備えている。この表示器２２がユーザーインターフェイスとして機能する。表示器２２が傾斜部分２０Ｂ上に設けられ、すなわち表示器２２が斜め前方上向きの姿勢で設けられているので、その視認性を高められるという利点が得られる。
【００１９】
本体１２の下部には脚部２４が設けられている。脚部２４は４つの脚により構成され、それぞれは高さ調整可能なものである。ハウジング１３の右側面２６には接続部２８が設けられ、そこには排気口及び吸気口が設けられている。接続部２８の上側には一方側の取手３０が設けられている。本体１２は例えば２０〜３０ｋｇの重さを有する。
【００２０】
次に、図２に基づいてキャリア１４について詳述する。キャリア１４は、取手として機能するハンドル３２を有する。ハンドル３２は水平の棒状の部材である。キャリア１４はハンドル３２に連なる伸縮機構３４を有する。伸縮機構３４が伸長した状態において、ハンドル３２が上方の所定高さに位置決められ、その状態においてハンドル３２が握られて後に図５で示すように傾斜姿勢となった本体１２が運搬される。キャリア１４の中間には水平バー４２が設けられ、キャリア１４の下部にはベースバー５２が設けられている。ベースバー５２の両端にはキャスタ機構を構成する一対のキャスタ４８，５０が設けられている。それらは従動回転する部材である。本体１２が斜め後ろ側に倒された姿勢においては、２つのキャスタ４８，５０に本体１２の荷重がかかる。そのような斜め姿勢を維持したままハンドル３２によって本体１２が運搬される。
【００２１】
本体１２とキャリア１４とに跨がって着脱機構３６が設けられている。着脱機構３６は大別して上側機構３８と下側機構４０とにより構成される。着脱機構３６を利用して必要に応じて本体１２に対してキャリア１４を取付け、また取り外すことが可能である。上述したように、運搬時においては本体１２に対してキャリア１４が取付けられる。一方、測定時においては必要に応じてキャリア１４が本体１２から取り外される。そのための機構が着脱機構３６である。
【００２２】
上側機構３８は、本体１２側の機構とキャリア１４側の機構とからなるものであり、例えばその内の一方が２つの穴であり、その内の他方が２つの穴に係合する２つの突起である。着脱のための係合機構としては各種の機構を採用することが可能である。下側機構は本体１２側に設けられた一方の機構とキャリア１４側設けられた他方の機構とからなり、それらは例えば、本体１２下面側に下向きで突出した凸片と、それを受け入れる上向きの溝を有するフック部材とからなる。いずれにしても着脱機構３６として、容易に着脱でき、しかも装着状態において本体１２に対してキャリア１４をしっかりと固定可能なものを設けることが望ましい。
【００２３】
ちなみに、キャリア１４を本体１２に装着したまま設置を行う場合、一対のキャスタ４８，５０が回転しないように、脚部を構成する４つの脚の高さが調整される。また運搬時においては、必要に応じて４つの脚の高さが再調整される。
【００２４】
図３には設置時の状態が示されている。図３及び後述する図４においてはキャリアが示されていない。設置時においては、ダストモニタに対して配管６４が接続される。その配管６４は吸気口から伸びるものである。本体の内部には右側空間５６及び左側空間５８が形成され、右側空間の手前側が右扉であり、左側空間の手前側が左扉である。右側空間５６内にはサンプリングヘッド６０が設けられている。サンプリングヘッド６０は、放射性物質を捕集する捕集部材と、放射性物質からの放射線を検出する検出器と、それらを囲む遮蔽部材とを有するものである。捕集部材としては、濾紙、フィルタを含むカセット、他の捕集部材等があげられる。
【００２５】
配管６４を経由して吸引されたエアがサンプリングヘッド６０に送り込まれ、そのエア中に含まれている放射性物質すなわちダストが捕集部材によって捕集される。サンプリングヘッド６０の後段には配管を介してポンプ６２が設けられている。
【００２６】
ポンプ６２は吸引用のポンプであり、それは左側空間５８内に設置されている。必要に応じてポンプ６２に対してメンテナンスや交換が行われる。捕集部材についても定期的に交換等の作業が適用される。本体の下部には下側機構の一部を構成する凸片６６が表れている。
【００２７】
図４には、右扉１６を空けた状態が斜視図として示されている。図４において左扉１８は閉じられている。右扉１６の内側すなわち内部空間に向く面１６Ａには中間高さにポケット６８が設けられている。このポケット６８は交換用すなわち未使用の複数の捕集部材が収容される。このようにポケット６８を設けることで、デッドスペースを有効活用できる。また、交換部材が散逸してしまうといった問題を未然に回避できる。交換が必要になったタイミングで装置内に既にストックされている捕集部材を用いてそれをサンプリングヘッドにセットすることが可能である。
【００２８】
本実施形態においては、捕集部材の交換にあたっては、右扉１６を開けるだけでよく、左扉１８を閉状態のままとすることができる。よって不必要な開閉動作が回避される。もっとも、ポンプのメンテナンスや交換等を行う場合は左扉１８も開けられ、これによって内部空間が広く露出する。更に、必要に応じて上部のカバーを開くことも可能であり、そのような場合には極めて作業性を向上することができる。例えば、設置された施設内の作業員においては右扉１６を開けて捕集部材の交換作業等が行われ、その一方、メンテナンス等においては、メーカーの作業員において左扉１８や上部カバーが開けられる。
【００２９】
図５には運搬時の様子が概念図として示されている。運搬時においては、本体１２に対してキャリアが装着され、キャリアにおける伸縮機構が伸長状態とされた上で、ハンドル３２が握られ、本体１２が斜め後ろ側に倒されて傾斜姿勢とされる。その場合においては、本体１２の荷重のほぼ大部分が一対のキャスタ機構４６に加わる。そのような傾斜姿勢を維持したままハンドル３２をもって装置１２が運搬されることになる。この場合においては、上記のように装置１２が重量物であっても、その荷重が基本的にキャスタ機構４６によって支えられるので、運搬者における負担が大幅に軽減される。
【００３０】
以上のように、本実施形態に係るダストモニタによれば、キャリアが設けられているので必要に応じてそのキャリアを本体に装着してキャリアを使って本体の運搬を行うことが可能である。その場合において、本体が斜め後ろ側に傾斜した姿勢となるので、仮に前面側のいずれかの扉のロック状態が不完全であったとしても、前面側の扉が不用意に開いてしまうといった事態を未然に回避することが可能である。また、前面側においては右扉及び左扉が設けられ、濾紙等の捕集部材の交換にあたっては、右扉だけを開けてその交換作業を行うことができるので、作業に関係ない部分をそのまま閉じておくことが可能である。もっとも、モータの交換等の作業を行う場合には、右扉の他、左扉及びカバーが開けられ、作業空間が確保される。また、本実施形態においては、図４に示したように扉の内側にストック場所が設けられ、そこにストック用の捕集部材を保持しておけるので、捕集部材の交換を速やかに且つ確実に行えるという利点が得られる。
【符号の説明】
【００３１】
１０  ダストモニタ、１２  本体、１３  ハウジング、１４  キャリア、１６  右扉、１８  左扉、２２  表示器、２４  脚部、３６  着脱機構。
【図１】
2016138871.tif 000003
【図２】
2016138871.tif 000004
【図３】
2016138871.tif 000005
【図４】
2016138871.tif 000006
【図５】
2016138871.tif 000007